(57)【要約】【課題】製造が簡単でコストが安価であり、確実なチャイルドレジスタント機能を有し、取扱いに注意が必要な物品をまとめて安全に収納することができる包装体の封止構造を提供する。【解決手段】互いに連接され筒体となる一対の側面１４，１６を有する。側面１４には、取出口６８を覆って他方の側面１６の表面に折り重ねる蓋片２４を備える。蓋片２４の端部に設けられた差込部２８と、差込部２８の先端に設けられ差込部２８の裏面に折り返される係止片３０を備える。側面１６には、蓋片２４が重ねられた時に差込部２８が差し込まれる差込線６０を有する。側面１４には、差込線６０に対向する位置に、切断線４８で区切られたガイド片５０を備える。差込部２８が差込線６０に差し込まれた状態で、係止片３０が差込部２８から開いて、係止片３０の取出口６８側に位置する端部が、差込線６０に係止される。ガイド片５０を押して係止片３０を差込部２８側に閉じると、係止片３０の端部が差込線６０から離れて係止が解除される。【選択図】図１
2020001732.tif 000002
【特許請求の範囲】
【請求項１】
包装体の一側面に、取出口を覆って他方の側面の表面に折り重ねる蓋片と、前記蓋片の端部に設けられた差込部と、前記差込部の先端に設けられ前記差込部の裏面に折り返される係止片が設けられ、
前記一側面と対向する他側面には、前記蓋片が重ねられた時に前記差込部が差し込まれる差込線が設けられ、
前記蓋片が設けられた前記一側面には、前記差込線に対向する位置に、切断線で区切られたガイド片が設けられ、
前記差込部が前記差込線に差し込まれた状態で、自身の弾性により前記係止片が前記差込部から開いて、前記係止片の、前記取出口側に位置する端部が前記差込線に対して、抜け方向に係止されロック状態となり、前記ガイド片を押して前記係止片を前記差込部に閉じると、前記係止片の前記端部が前記差込線から離れて係止が解除されることを特徴とする包装体の封止構造。
【請求項２】
前記包装体は、弾性を有する一枚の形成片から成り、互いに連接され筒体となる一対の側面を有し、この筒体の一方の端部には底部が設けられ、他方の端部は取出口とする包装袋であり、
前記側面の一方には、前記取出口を覆って他方の前記側面の表面に折り重ねる蓋片と、前記蓋片の端部に設けられた差込部と、前記差込部の先端に設けられ前記差込部の裏面に折り返される係止片が設けられ、
前記一対の側面の他方には、前記蓋片が重ねられた時に前記差込部が差し込まれる差込線が設けられ、
前記蓋片が設けられた前記一方の側面には、前記差込線に対向する位置に、切断線で区切られたガイド片が設けられ、
前記差込部が前記差込線に差し込まれた状態で、前記形成片自身の弾性により前記係止片が前記差込部から開いて、前記係止片の、前記取出口側に位置する端部が前記差込線に対して、抜け方向に係止されロック状態となり、前記ガイド片を押して前記係止片を前記差込部に閉じると、前記係止片の前記端部が前記差込線から離れて係止が解除される請求項１記載の包装体の封止構造。
【請求項３】
前記係止片の形状は、略矩形であり、前記差込部とは反対側に位置する端部は、前記差込部から離れる方へ膨出する円弧形であり、
円弧形の一番突出している部分は、前記ロック状態で前記差込線よりもわずかに前記取出口に近い位置にあり、前記形成片の弾性により前記差込線の切断端面を通過して裏面に張り出し可能であり、円弧形の両端部には、前記差込部の反対側に突出する当接部が形成され、前記当接部の先端は、前記ロック状態で前記差込線より前記取出口に近い位置にあり前記差込線の切断端面を通過せず表面に当接し、
前記係止片の、前記差込部に連続する側縁部には、前記差込部との間に折り込まれて前記係止片を前記差込部から離れる方向に付勢するばね片が設けられている請求項１又は２記載の包装体の封止構造。
【請求項４】
前記ガイド片を区切る前記切断線は、前記取出口に向かって膨出する略Ｕ字形であり、前記底部側は前記切断線の一対の端部が位置し前記一対の端部の間では前記切断線が途切れ、前記ガイド片は、前記切断線が途切れた部分を基端部とし基端部の反対側の先端部分は片持ち状態で前記側面から移動可能であり、前記ガイド片の先端部分は、前記差込線よりもわずかに前記取出口に近い位置にあり、前記ガイド片を押すことで弾性変形させて前記差込線の切断端面を通過して表面に押し出される位置に設けられている請求項２記載の包装体の封止構造。
【請求項５】
前記側面の、前記取出口と反対側には、底板が折罫線を介して設けられ、前記底部は、前記折罫線を所定角度で折り前記底板を記一対の側面が形成する内側空間の挿通方向に交差させて形成する請求項２記載の包装体の封止構造。
【発明の詳細な説明】
【技術分野】
【０００１】
この発明は、医薬品等、取扱いに注意が必要な物品を収容する包装体の封止構造に関する。
【背景技術】
【０００２】
近年、多様な医薬品が流通しており、全ての医薬品に対応できるチャイルドレジスタント機能付の包装を実現することは難しい。また、それぞれの薬ごとに個別に対応するのは労力、設備の面で大きな負担となり、個々の医薬品の包装材のコストも上昇する。従って、できる限り多くの薬に対応でき、簡易な構造でチャイルドレジスタント機能付きの包装が必要とされている。従来、医薬品等を収容する包装袋があり、子供のいたずら等では開封が困難であり、所定の手順により開封できるチャイルドレジスタント機能が付いているものがある。
【０００３】
例えば、特許文献１に開示されているチャイルドレジスタンス機能付チャック及びチャック付包装袋は、合成樹脂製包装袋の開口部の内側面に接着される一対の接着帯体と、該接着帯体の対向面に突設された嵌合凸部及び嵌合凹部を嵌合する嵌合体とを備え、嵌合体の嵌合力で開口部を開閉自在に接合するチャックである。そして、開口部の内側面を嵌合体が密封状態に接合し包装袋の開口部の開口操作に伴って嵌合体が開封される密封チャックと、該密封用チャックの嵌合力より強力な嵌合力を有する嵌合体の一部に、解除用切抜部が設けられ、該解除用切抜部から嵌合体が開封されるロック用チャックとが設けられて、ロック用チャックと密封用チャックとを開口部の内側面に平行に配置してチャイルドレジスタンス機能を持たせている。
【０００４】
また、特許文献２に開示されているチャイルドレジスタンス機能付チャックは、一対の樹脂製シートを重合して形成される合成樹脂製包装袋の開口部内面相互に接着される一対の接着帯体と、各接着帯体の対向する面に夫々突設された嵌合部とを備え、該嵌合部相互を嵌合する合成樹脂製のチャックである。そして、一方の接着帯体の樹脂製シートに接着する接着面を嵌合部の位置より下側に配置すると共に、該接着帯体の上端縁に沿って嵌合部を配置した下面接着嵌合体を設け、各嵌合部が嵌合された状態で包装袋の開口部を開いたときに、下面接着嵌合体を接着した樹脂製シートから下面接着嵌合体の嵌合部に開封力が及ばないように構成し、下面接着嵌合体の長手両端部のいずれか一方または両方に、接着帯体と一体化され且つ開口部側に延長される解除片を設け、解除片と他方の接着帯体の樹脂製シートとを開くと嵌合部が開封するように構成されている。
【０００５】
また、特許文献３に開示されているチャイルドレジスタントスライダは、インターロックしたりロック解除したりするための相補的な輪郭を有する雄トラック及び雌トラックを有する再閉可能なチャッククロージャと、前記相補的な輪郭によって画定されたノッチであって、スライダチャッククロージャシステムの端部から離間するノッチと、チャッククロージャ上に摺動可能に位置するスライダが設けられている。スライダは、トピードを有する可撓性のあるタブを備えており、スライダが、ノッチ近傍まで移動したときに、タブを、雄トラック及び雌トラックの間である位置まで選択的に動かすことができ、結果的に、スライダがチャッククロージャに沿って開方向に移動するときに、インターロックしている相補的な輪郭が分離されることになるスライダを備えている。
【先行技術文献】
【特許文献】
【０００６】
【特許文献１】特開２０１６−７４４７４号公報
【特許文献２】特開２０１６−８８５３１号公報
【特許文献３】特表２０１６−５１１５４４０号公報
【発明の概要】
【発明が解決しようとする課題】
【０００７】
上記背景技術の場合、チャックは合成樹脂で成形されて設けられているため、製造工程が多く、コストが掛かるものである。また、部品点数も多く、構造が複雑である。
【０００８】
この発明は、上記背景技術の問題点に鑑みてなされたものであり、一枚のシートから作ることができ、製造が簡単でコストが安価であり、確実なチャイルドレジスタント機能を有し、取扱いに注意が必要な物品をまとめて安全に収納することができる包装体の封止構造を提供することを目的とする。
【課題を解決するための手段】
【０００９】
本発明は、包装体の一側面に、取出口を覆って他方の側面の表面に折り重ねる蓋片と、前記蓋片の端部に設けられた差込部と、前記差込部の先端に設けられ前記差込部の裏面に折り返される係止片が設けられ、前記一側面と対向する他側面には、前記蓋片が重ねられた時に前記差込部が差し込まれる差込線が設けられ、前記蓋片が設けられた前記一側面には、前記差込線に対向する位置に、切断線で区切られたガイド片が設けられ、前記差込部が前記差込線に差し込まれた状態で、自身の弾性により前記係止片が前記差込部から開いて、前記係止片の、前記取出口側に位置する端部が前記差込線に対して、抜け方向に係止されロック状態となり、前記ガイド片を押して前記係止片を前記差込部に閉じると、前記係止片の前記端部が前記差込線から離れて係止が解除される包装体の封止構造である。
【００１０】
前記包装体は、適度な弾性を有する一枚の形成片から成り、互いに連接され筒体となる一対の側面を有し、この筒体の一方の端部には底部が設けられ、他方の端部は取出口とする包装袋でもよい。前記側面の一方には、前記取出口を覆って他方の前記側面の表面に折り重ねる蓋片と、前記蓋片の端部に設けられた差込部と、前記差込部の先端に設けられ前記差込部の裏面に折り返される係止片が設けられている。前記一対の側面の他方には、前記蓋片が重ねられた時に前記差込部が差し込まれる差込線が設けられている。前記蓋片が設けられた前記一方の側面には、前記差込線に対向する位置に、切断線で区切られたガイド片が設けられている。これにより、前記差込部が前記差込線に差し込まれた状態で、前記形成片自身の弾性により前記係止片が前記差込部から開いて、前記係止片の、前記取出口側に位置する端部が前記差込線に対して、抜け方向に係止されロック状態となり、前記ガイド片を押して前記係止片を前記差込部に閉じると、前記係止片の前記端部が前記差込線から離れて係止が解除される包装体の封止構造である。
【００１１】
前記係止片の形状は、略矩形であり、前記差込部とは反対側に位置する端部は、前記差込部から離れる方へ膨出する円弧形であり、円弧形の一番突出している部分は、前記ロック状態で前記差込線よりもわずかに前記取出口に近い位置にあり前記形成片の弾性により前記差込線の切断端面を通過して裏面に張り出し可能である。円弧形の両端部には、前記差込部の反対側に突出する当接部が形成され、前記当接部の先端は、前記ロック状態で前記差込線より前記取出口に近い位置にあり前記差込線の切断端面を通過せず表面に当接する。また、前記係止片の、前記差込部に連続する側縁部には、前記差込部との間に折り込まれて前記係止片を前記差込部から離れる方向に付勢するばね片が設けられている。なお、前記ばね片は矩形であり、前記係止片に折罫線を介して設けられている。
【００１２】
前記ガイド片を区切る前記切断線は、前記取出口に向かって膨出する略Ｕ字形であり、前記底部側は前記切断線の一対の端部が位置し前記一対の端部の間では前記切断線が途切れている。前記ガイド片は、前記切断線が途切れた部分を基端部とし基端部の反対側の先端部分は片持ち状態で前記側面から移動可能であり、前記ガイド片の先端部分は、前記差込線よりもわずかに前記取出口に近い位置にあり、前記ガイド片を押すことで弾性変形させて前記差込線の切断端面を通過して表面に押し出される位置に設けられている。
【００１３】
前記側面の、前記取出口と反対側には、底板が折罫線を介して設けられ、前記底部は、前記折罫線を所定角度で折り前記底板を記一対の側面が形成する内側空間の挿通方向に交差させて形成する。
【発明の効果】
【００１４】
本発明の包装体の封止構造は、一枚のシートから打ち抜かれた形成片により作ることができ、製造が簡単でコストが安価である。しかも、確実なチャイルドレジスタント機能を有し、医薬品等の取扱いに注意が必要な物品をまとめて安全に収納することができる。
【図面の簡単な説明】
【００１５】
【図１】この発明の一実施形態の包装体である包装袋の正面側から見た斜視図（ａ）と、背面側から見た斜視図（ｂ）である。
【図２】この実施形態の包装袋の展開図である。
【図３】この実施形態の包装袋の組立工程を示す裏面から見た展開図である。
【図４】この実施形態の包装袋の組立工程を示す正面図である。
【図５】この実施形態の包装袋の組立工程を示す正面図である。
【図６】この実施形態の包装袋の組立工程を示す正面図である。
【図７】この実施形態の包装袋の包装が完了した状態を示す正面図である。
【図８】この実施形態の包装袋の包装が完了した状態を示す縦断面図（ａ）と、包装を開封する工程を示す縦断面図（ｂ）と、開封した状態を示す縦断面（ｃ）である。
【発明を実施するための形態】
【００１６】
以下、この発明の実施形態について図面に基づいて説明する。図１〜図８はこの発明の一実施形態を示すもので、この実施形態の包装体の封止構造は包装袋１０に適用したもので、適度な弾性を有するシートを打ち抜いて形成された袋体形成片１２を組み立てて包装袋１０が設けられている。袋体形成片１２は、例えばポリエステル系合成樹脂製であり、不透明である。図２は袋体形成片１２を表面から見た展開図であり、袋体形成片１２は、側面１４，１６が、互いに平行に連接して形成されている。側面１４，１６はほぼ同じ形状の矩形であり、折罫線１８で区切られている。側面１６の、折罫線１８とは反対側の側縁部には、包装袋１０の組立状態で側面１４の表面に糊付けされる糊付片２０が折罫線２２で区切られて設けられている。
【００１７】
側面１４において、側面１６との連接方向に対して直角な方向の一端部には、蓋片２４が折罫線２６で区切られて設けられている。蓋片２４の形状は、折罫線２６とは反対側の端部２４ａは折罫線２６から離れる方へ膨出する円弧形である。端部２４ａの長さ方向の中間には、矩形の差込部２８が一体に外側に突出して設けられている。差込部２８の先端には、係止片３０が折罫線３２で区切られて設けられている。係止片３０の形状は、略矩形であり、折罫線３２と反対側の端部３０ａは、折罫線３２から離れる方へ膨出する円弧形である。端部３０ａの長さ方向の中間が一番突出し、この部分の突出長さは、折罫線３２と差込部２８の基端部までの長さとほぼ等しく、端部３０ａの長さ方向の両端部には、端部３０ａから突出する当接部３４が設けられている。当接部３４は、略矩形であり、係止片３０の、折罫線３２に対して略直角に交差する側縁部３０ｂの延長線に沿って突出し、矩形であり、先端の角部は丸められている。係止片３０の側縁部３０ｂには、矩形のばね片３６が折罫線３８で区切られて設けられている。ばね片３６の大きさは、一辺の長さは折罫線３８の長さと等しく、折罫線３８に対して直角な辺の長さは、係止片３０の折罫線３８に対して直角な方向の長さの約半分よりわずかに短いものであり、一対のばね片３６を折罫線３８で各々係止片３０の裏面に折り重ねた時、ばね片３６が互いに重ならない。
【００１８】
側面１４の、折罫線２６と反対側の端部には、矩形の底支持片４０が折罫線４２で区切られて設けられている。底支持片４０の、折罫線４２に対して平行な長さは、側面１４よりも少し短く、折罫線４２に対して直角な長さは、それより短く形成され、細長い長方形となる。底支持片４０には、折罫線４２に対して平行な折れ線４４が設けられている。折れ線４４は、断続する切断線で形成され、底支持片４０の、中心を通過している。側面１４の、底支持片４０の両側の部分は、折罫線４２よりも外側に突出し、包装袋１０を立てる際の脚部４６となる。
【００１９】
側面１４の、中央よりも少し折罫線２６に近い位置に、半円形状の切断線４８が設けられている。切断線４８は、折罫線２６に向かって膨出する半円形状で、折罫線４２に近い側に一対の端部４８ａが位置し、端部４８ａの間は切断線４８が途切れて略Ｕ字形になっている。切断線４８の内側の部分はガイド片５０であり、一対の端部４８ａの間は側面１４に連続する基端部となり、基端部の反対側の先端部分は、片持ち状態で前記側面から移動可能である。ガイド片５０の先端部分は、側面１６の差込線６０に交差して通過し端部１６ａ側に達するものである。ガイド片５０の中央部分には、円形の切断線５２が設けられている。切断線５２は、包装袋１０の組立状態でガイド片５０を押す時に、押す場所をわかり易くするものであり、切断線４８の円周方向の中間付近に対面する部分と、直径方向に反対側に位置する部分の２か所が切り残されている。ガイド片５０の内側の部分は、人の指が入る程度の大きさであり、切断線４８の円周方向の中間付近に対面する部分と、直径方向に反対側に位置する部分が切り残されているため、指で押してもガイド片５０から沈みすぎることが無く、ガイド片５０に押力を伝えて、ガイド片５０を移動させる。
【００２０】
側面１６の、側面１４の折罫線２６に隣接する端部１６ａには、他部材は何も設けられていない。側面１６の、端部１６ａと反対側の端部には、横長に形成された六角形の底板５４が折罫線５６で区切られて設けられている。底板５４は、折罫線５６に対して平行な長さは、側面１６よりも少し短く、折罫線５６に対して直角な長さは、それより短く形成され、折罫線５６に沿う方向の両端部５４ａは、中心が外側に突出する山形に形成されている。側面１６の、底板５４の両側の部分は、折罫線５６よりも外側に、側面１４の脚部４６と同じ長さで突出し、包装袋１０を立てる際の脚部５８となる。
【００２１】
側面１６の、中央よりも少し端部１６ａに近い位置に、端部１６ａに対して平行な直線の差込線６０が設けられている。差込線６０は、側面１６を全切りする切断線であり、差込線６０の長さは、蓋片２４の差込部２８の、折罫線２６に対して平行な方向の長さよりも少し長い。差込線６０の両端部は、端部１６ａから離れる方へ湾曲している。
【００２２】
次に、この実施形態の包装袋１０の組立方法の一例について説明する。なお、ここでは図２が包装袋１０の袋体形成片１２の表側を見たものであり、袋体形成片１２の表面が凸になる折り方を正折り、そして裏面が凸になる折り方を逆折りと称する。
【００２３】
まず、底支持片４０を折罫線４２で正折りして側面１４の裏面に重ね、底板５４を折罫線５６で正折りして側面１６の裏面に重ねる。図３は、この状態の袋体形成片１２を裏面から見たものである。次に、底支持片４０の表面の、折れ線４４よりも先端部に近い部分に糊６２を塗布し、糊付片２０の裏面に糊６４を塗布し、折罫線１８を正折りする。側面１４，１６の裏面同士を重ね、折罫線２２を正折りして側面１４の表面に糊付片２０を糊６４で糊付けする。この時、底支持片４０の折り返した表面は、糊６２により底板５４の表面に糊付けされる。これで、図４に示すように折り畳み状態となる。
【００２４】
次に、折罫線１８，２２を近づけるように押して側面１４，１６を互いに離れる方に湾曲させて筒体にして内側空間を作り、内側空間の端部１６ａ側の取出口６８から手を入れて底板５４を側面１６から離すように押し広げ、折罫線５６が９０°に正折りされ、底板５４は側面１６に対して略直角に位置する。この時、底板５４に糊付けされている底支持片４０も、側面１４から引き起こされ、折罫線４２が９０°に正折りされ、折れ線４４が正折りされ、底板５４を保持する。これにより、包装袋１０の底部が形成され、包装袋１０は、下側は厚みがあり、上側は徐々に厚みが無くなり、端部１６ａ側の取出口６８では側面１４と側面１６が隙間なく合わせられている。
【００２５】
次に、この包装袋１０を使用する際には、取出口６８から包装袋１０の内側空間に、医薬品等の収容物６６を入れる。そして、図５に示すように、一対の折罫線３８を正折りしてばね片３６を係止片３０の裏面に重ねる。一対のばね片３６は、係止片３０の半分の長さより僅かに短く形成されているため、互いに重なることが無い。次に、図６に示すように、折罫線３２を正折りして係止片３０を差込部２８の裏面に重ねる。この時、ばね片３６は係止片３０と差込部２８の間に折り畳まれ、係止片３０はばね片３６により差込部２８から開く方へ付勢される。
【００２６】
この後、係止片３０が、差込部２８から開かないように指で押さえながら、折罫線２６を正折りして蓋片２４を側面１６の表面に折り重ね、差込部２８を側面１６の差込線６０に差し込む。係止片３０はばね片３６により、差込部２８から離れる方へ付勢されているが、係止片３０の両端に位置する一対の当接部３４は、先端が側面１６の表面に当接しているため、係止片３０は中央部分が差込部２８から離れるように撓む。側面１６は、差込線６０の下側、つまり底板５４に近い部分には差込部２８が裏面に押し付けられ、差込線６０の上側、つまり取出口６８に近い部分には係止片３０の中央部分が表面に押し付けられる。差込部２８をさらに深く差し込み、係止片３０の端部３０ａが側面１６の差込線６０を通過すると、端部３０ａは弾発してカチッという音を発生して差込線６０の切断端面６０ａを通過し、差込部２８から開き、内側空間に張り出す。この状態で、図８（ａ）に示すように、係止片３０の端部３０ａの、円弧形の一番突出している部分は側面１６の裏面に張り出し、端部３０ａのその他の部分は、側面１６の差込線６０の切断端面６０ａに対向し、側面１６の表面に当接する当接部３４に連続する。これにより、図７に示すように包装袋１０による包装が完了する。この時、係止片３０が、差込線６０の上側に係止され、差込線６０から差込部２８と係止片３０を引き抜くことが出来ず、チャイルドレジスタント効果があり、子供が収容物６６を取り出して誤飲することを防ぐ。
【００２７】
使用者が、包装袋１０から収容物６６を取り出す時は、図８（ｂ）に示すように、側面１４のガイド片５０を外側から押す。すると、切断線４８で分離されてガイド片５０が側面１４から離れ、切断線４８の端部４８ａの間、つまり切断線４８が途切れた部分が側面１４に連続する基端部となり、先端部分は片持ち状態で側面１４から移動可能となり、先端部分が側面１６に押し付けられる。係止片３０の端部３０ａの、円弧形の一番突出している部分は、側面１６の裏面に張り出しているが、ガイド片５０に押されて差込線６０の切断端面６０ａを通過して側面１６の表側に押し出され、差込部２８に閉じて、係止が解除される。またガイド片５０は、係止片３０の端部３０ａを押す時に、弾性変形しながら差込線６０の切断端面６０ａを通過して、カチッという音を発生させて、側面１６の表面に当接する。このため、係止片３０の端部３０ａ付近が再び差込線６０に差し込まれて係止されることを防ぐ。
【００２８】
そして、図８（ｃ）に示すように、差込部２８を差込線６０から引き抜き、蓋片２４を開く。差込部２８を差込線６０から引き抜く時は、係止片３０がガイド片５０を擦りながら円滑に移動させることができる。以上の操作により、開封した取出口６８から収容物６６を取り出し、服用することができる。使用した後は、側面１４と側面１６を互いに離れる方に湾曲させる等の方法で、ガイド片５０を側面１６の表面から外して側面１４と面一に戻す。蓋片２４を、取出口６８を覆いながら折罫線２６で正折りし、ばね片３６、係止片３０、差込部２８を前記の折り方で折り畳み、差込線６０に差し込み、係止片３０により係止し、チャイルドレジスタント機能を有してロックする。
【００２９】
この実施形態の包装袋１０の包装体の封止構造によれば、一枚のシートから打ち抜かれた袋体形成片１２から作ることができ、構造が簡単で、コストが安価であり、容易に製造可能もので、チャイルドレジスタント機能を持たせることができる。そして包装袋１０に、医薬品等の取扱いに注意が必要な収容物６６をまとめて安全に収納することができ、子供の誤飲を防ぐことができ、使用者には簡単に開封することができる。さらに包装袋１０は、袋体形成片１２の弾性により確実に係止され、ガイド片５０を押す簡単な操作で係止が解除され、使用者には操作が容易である。収容物６６に個々にチャイルドレジスタント機能付の包装をする必要がなく、形状に関わらず多くの収容物６６に対応することができ、例えば、ＰＴＰや分包、薬液ボトル、チューブといった様々な剤形の医薬品をまとめて入れることができる。また、薬局で処方された医薬品を薬袋ごと入れてもよく、収容物６６は医薬品以外でも良い。その他、刃物やライター等、取扱いに注意が必要な種々の物品でも良い。
【００３０】
袋体形成片１２は、ポリエステル系合成樹脂等の適度な弾性を有する材料で作られているため、確実にロックすることができ、また確実に再封することができ、くり返し使用することができる。合成樹脂製で作られているため、耐久性があり、ばね片３６の弾性が弱くなることがない。さらに不透明な合成樹脂で作られている場合、内側空間に収容された収容物６６が見えることがなく、子供の興味を引かないように工夫がされている。
【００３１】
包装袋１０は、底板５４と底支持片４０により底部が設けられ、厚みを有する立体形状となり、底部の下には一対の脚部４６，５８が下方に向かって突出しているため、自立可能であり、使用しやすい。
【００３２】
なお、この発明は上記実施形態に限定されるものではなく、蓋片や底板、側面等の形状や構造、大きさは、適宜変更可能である。各折罫線は、折り曲げ易くするために破断線等で設けてもよい。包装袋の材料は、自由に選択可能であり、紙製でも良いが、プラスチック材料が好ましい。
【符号の説明】
【００３３】
１０  包装袋
１２  袋体形成片
１４，１６  側面
２４  蓋片
２８  差込部
３０  係止片
３０ａ  端部
３４  当接部
３６  ばね片
４８  切断線
４８ａ  端部
５０  ガイド片
５４  底板
６０  差込線
６８  取出口
【図１】
2020001732.tif 000003
【図２】
2020001732.tif 000004
【図３】
2020001732.tif 000005
【図４】
2020001732.tif 000006
【図５】
2020001732.tif 000007
【図６】
2020001732.tif 000008
【図７】
2020001732.tif 000009
【図８】
2020001732.tif 000010